(57)【特許請求の範囲】
【請求項１】
略矩形のテーブル面を有するゲーム機本体（１）と、
ゲーム機本体（１）の中央上部に設けられる１台のボール分配装置（２）と、
ゲーム機本体（１）のテーブル面上に、その４辺の各辺ごとに手前に傾斜して設けられるビンゴゲーム盤（３１）と、
ボール分配装置（２）と各ビンゴゲーム盤（３１）との間にそれぞれ鉛直に設けられるスロットゲーム盤（３０）と、を有し、
各スロットゲーム盤（３０）は、前面に透明な保護板を有し、少なくとも一つのチェッカー（３０１、３０２）と、スロットマシンを模したゲーム画面を表示するモニター（３００）とを具備したピンボードからなり、その上部からボール分配装置（２）によりゲーム用のボールが供給され、
各ビンゴゲーム盤（３１）は、スロットゲーム盤（３０）の下端にそれぞれ接続され、スロットゲーム盤（３０）の下端から排出されるボールを受け入れるよう構成されたこと、
を特徴とするビンゴゲーム機。
【発明の詳細な説明】
【０００１】
【発明の属する技術分野】
本発明は、特に一度のプレイで二種類の抽選を行い得るビンゴゲーム機に関する。
【０００２】
【従来の技術】
手前側に傾斜して設けられた、ｎ行ｎ列のビンゴポケットを有するビンゴゲーム盤上にボールを供給し、ボールが転がり落ちたビンゴポケットが、縦横斜めのいずれか一列揃ったときにビンゴが成立し、所定の景品などが当たるビンゴゲーム装置は従来からある。
しかしながら、従来のビンゴゲーム機では、プレイヤーの関心は、ビンゴゲーム盤上をゆっくりと転がるボールがビンゴポケットに入るか否かのみに集中してしまうため、ゲーム進行が単調になってしまい、飽きやすいという問題があった。
また、従来のビンゴゲーム機では、単純にビンゴゲームによる抽選しか行われていなかったので、入賞の確率が低いと感じるプレイヤーも多く、また、ゲームに目新しさに乏しく、集客力が弱いという問題があった。
【０００３】
【発明が解決しようとする課題】
本発明は、上記の問題を解決するためになされたものであり、その目的は、ゲームの途中で緊張感が途切れず、単なるビンゴゲームよりも入賞の確率が高いと感じることができるようなプレイヤーにとって魅力的なビンゴゲーム装置を提供することにある。
【０００４】
【課題を解決するための手段】
上記の目的は、
略矩形のテーブル面を有するゲーム機本体と、
ゲーム機本体の中央上部に設けられる１台のボール分配装置と、
ゲーム機本体のテーブル面上に、その４辺の各辺ごとに手前に傾斜して設けられるビンゴゲーム盤と、
ボール分配装置と各ビンゴゲーム盤との間にそれぞれ鉛直に設けられるスロットゲーム盤と、を有し、
各スロットゲーム盤は、前面に透明な保護板を有し、少なくとも一つのチェッカーと、スロットマシンを模したゲーム画面を表示するモニターとを具備したピンボードからなり、その上部からボール分配装置によりゲーム用のボールが供給され、
各ビンゴゲーム盤は、スロットゲーム盤の下端にそれぞれ接続され、スロットゲーム盤の下端から排出されるボールを受け入れるよう構成され、
スロットゲーム盤に供給されたボールがそのチェッカーを通過するたびにモニター上でスロットマシンゲームによる抽選を行い、スロットゲーム盤から排出されたボールでビンゴゲームによる抽選を行うように構成されたビンゴゲーム機によって達成される。
【０００５】
【発明の実施の形態】
以下、図面により、本発明の詳細を説明する。
図１は本発明にかかるビンゴゲーム機の一実施例を示す斜視図、図２は図１に示したビンゴゲーム装置のスロットゲーム盤及びビンゴゲーム盤の構成を示す部分拡大斜視図である。
【０００６】
図中、１はゲーム機本体、２はボール分配装置、３はターミナル部である。
まず、図１について説明する。
このビンゴゲーム機は、図示する如く略矩形のテーブル状のゲーム機本体１の中央にボール分配装置２を有すると共に、四方にそれぞれターミナル部３を有し、四名のプレイヤーが一度にプレイできるものである。
【０００７】
ボール分配装置２は、ゲーム機本体１の中央上部に設けられ、多数のボールを各ターミナル部３に分配するものである。
このボール分配装置２は、その上部にドーム２０を有し、図示しない多数のボールは、このドーム２０内に、その内面に沿って、その中心軸の周りを周回しながら落下するよう射出される。
ドーム２０内に射出されたボールは、その内部を転がりながら、いずれかのターミナル部３に落下するようになっている。
【０００８】
ターミナル部３は、スロットゲーム盤３０と、ビンゴゲーム盤３１と、コントロールパネル部３２と、周縁部３３と、払出口３４とからなる。
スロットゲーム盤３０は、中央に液晶式のモニター３００と、その上下にボールを吸い込み得るチェッカー３０１、３０２と、その周囲に複数のピン３０３を具備し、前面が透明な保護板によって覆われるピンボードであり、ドーム２０の下方にゲーム機本体１に鉛直に支持される。
モニター３００は、スロットマシンゲームを模したゲーム画面を表示するものであり、チェッカー３０１、３０２に吸い込まれたボールの個数に応じた回数スロットゲームによる抽選が行われるようになっている。
【０００９】
また、このモニター３００には、図示はしていないが、ベット数やクレジット数なども表示されるようになっている。
チェッカー３０１、３０２に落ちたボールは、ゲーム機本体１内に設けられた図示しないボールプールへ回収されるようになっている。
ピン３０３は、スロットゲーム盤３０上を落下してくるボールの落下経路を変更させるものである。
【００１０】
ビンゴゲーム盤３１は、スロットゲーム盤３０の下端から排出されるボールを受け入れ得るよう、ゲーム機本体１のテーブル面に手前側に傾斜して設けられる。
このビンゴゲーム盤３１は、図示しないボールを受け入れ得る５行５列のビンゴポケット３１０を有する。
このビンゴポケット３１０は、逆円錐台状の穴であり、その底部には、ゲーム終了後にそのビンゴポケット３１０に保持されたボールを押し出す図示しないプッシャーが設けられる。
【００１１】
また、このビンゴゲーム盤３１の下流側には、ボールを回収するための図示しないロストホールが設けられる。
このロストホールに回収されたボールは、チェッカー３０１、３０２に落ちたボールと同様に図示しないボールプールへ回収されるようになっている。
コントロールパネル部３２は、ビンゴゲーム盤３１に隣接して設けられ、メダル投入口３２０と、１Ｂｅｔボタン３２１と、１０Ｂｅｔボタン３２２と、ペイアウトボタン３２３とを具備する。
【００１２】
周縁部３３は、コントロールパネル部３２のプレイヤー側の周縁に設けられるものであり、腕や手をなどをついたり、プレイヤーの所持しているメダルを入れたケースなどを置けるようになっている。
払出口３４は、周縁部３３の下方の、ゲーム機本体１の側面中央に設けられるものであり、プレイヤーのクレジットとして保持されているメダルが払い出されるようになっている。
【００１３】
このビンゴゲーム機では、プレイヤーがコントロールパネル部３２のメダル投入口３２０からメダルを投入すると、投入されたメダルの合計枚数が、クレジット数としてモニター３００に表示されるので、プレイヤーは、１Ｂｅｔボタン３２１と、１０Ｂｅｔボタン３２２を押してベットする。
このとき、ベットされた数に応じて、クレジット数が減算される。
プレイヤーは所定の制限時間内、又は、クレジット数がゼロになるまでベット数を増やすことができる。
【００１４】
このベット枚数に応じて、スロットゲームの入賞時のオッズ及び１ビンゴライン当たりのオッズ、が決定される。
このビンゴゲーム機では、二回に分けて多数のボールが分配されるようになっており、ベット可能な時間が終了すると、図示しないボールプールに保持されているボールのうち、約５０個がボール分配装置２のドーム２０内に一度に射出され、これらのボールは、ドーム２０の内部を周回しながら徐々に落下し、各ターミナル部３に分散して導入される。
ターミナル部３に導入されたボールは、スロットゲーム盤３０内をピン３０３に当たりながら、スロットゲーム盤３０に沿って分散しながら落下する。
【００１５】
このとき、モニター３００の上下に設けられたチェッカー３０１、３０２をボールが通過すると、その通過回数が記録され、その回数に応じてスロットゲームによる抽選が行われる。
スロットゲームの結果、絵柄が揃ったときには、揃った絵柄の本数及びオッズに応じた枚数がクレジット数に加算される。
スロットゲーム盤３０に沿って落下するボールのうち、チェッカー３０１、３０２に入らなかったものは、スロットゲーム盤３０から排出され、ビンゴゲーム盤３１に導入される。
【００１６】
ビンゴゲーム盤３１に導入されたボールは、ビンゴゲーム盤３１上を次々と転がり、そのうちのいくつかは、ビンゴポケット３１０に落ちて保持される。
次に、二回目のボールの分配が行われ、一回目のときと同様に、スロットゲーム及びビンゴゲームが行われる。
二回目のボールの分配が終了し、ビンゴゲーム盤３１上を転がるボールがなくなるとゲームが終了する。
このとき、一列に並ぶ５個のビンゴポケット３１０全てにボールが保持されているラインがあればビンゴが成立し、プレイヤーの勝ちとなり、そのラインの数及びベット数に対応するオッズにより決定されている獲得メダル数がクレジット数に加算される。
【００１７】
獲得メダルの集計が終了すると、各ビンゴポケット３１０の底部に設けられた図示しないプッシャーが上方に突出し、保持されているボールを押し出し、ビンゴゲーム盤３１上から排除する。
プレイヤーの有するクレジットがあるときに、続けてゲームを行うときには、ベットを行い、反対に止めるときには、ペイアウトボタン３２３を押してクレジット数に相当するメダルを払出口３４に排出させ、メダルを払い出すようにすればよい。
【００１８】
なお、本発明は、スロットゲーム盤を経由させてビンゴゲーム盤にボールを導入させ、ビンゴゲームと共にスロットゲームを行わせ、ビンゴゲームの途中にスロットゲームによる抽選を行うことを特徴とし、ビンゴが確定するまでの間、又は、確定した後にも、プレイヤーはスロットゲームの抽選結果をハラハラしながら見守ることになると共に、一回のプレイでスロットゲームとビンゴゲームの二種類の抽選がなされることにより、プレイヤーの入賞率が高いと感じることができるようになるものである。
【００１９】
このため、本発明は上記の実施例に限定されるものではなく、例えば、スロットゲーム盤上に設けられるピンは他の形状の障害物としてもよく、また、その配置や個数は自由に変更でき、また、この障害物は可動式のものとしてもよく、さらに、ボールがスロットゲーム盤に分散して導入されるのであれば、ピンは設けなくてもよい。
また、チェッカーの数や配置は上記の実施例に限定されず、また、ボールの射出は一回又は三回以上に分散して行うようにしてもよく、また、ビンゴゲーム盤のビンゴポケットの配列も５行５列に限定されない。
【００２０】
【発明の効果】
本発明は上記のように構成されるので、本発明によるときは、プレイヤーにとって魅力的なビンゴゲーム装置を提供できるようになる。
【図面の簡単な説明】
【図１】本発明にかかるビンゴゲーム機の一実施例を示す斜視図である。
【図２】図１に示したビンゴゲーム装置のスロットゲーム盤及びビンゴゲーム盤の構成を示す部分拡大斜視図である。
【符号の説明】
１      ゲーム機本体
２      ボール分配装置
２０    ドーム
３      ターミナル部
３０    スロットゲーム盤
３００  モニター
３０１  チェッカー
３０２  チェッカー
３０３  ピン
３１    ビンゴゲーム盤
３１０  ビンゴポケット
３２    コントロールパネル部
３２０  メダル投入口
３２１  １Ｂｅｔボタン
３２２  １０Ｂｅｔボタン
３２３  ペイアウトボタン
３３    周縁部
３４    払出口
【図１】
0004059366.tif 000002
【図２】
0004059366.tif 000003